(57)【要約】【課題】  シート束の全面に均等に圧力を加えることができ、しかも厚さ方向のはたつきも抑えることのできる包装形態、包装方法、搬送装置の提供。【解決手段】  シート束と、前記シート束が実質的に立てた状態で載置されるとともに、前記シート束が凭せ掛けられる背凭れ面と、前記背凭れ面に向かって水平面に対して下向きに傾斜してなる載置面とを有する積載台と、前記シート束における上側の稜を覆う角当て部材と、前記角当て部材から前記積載台に、前記シート束を前記積載台の載置面と背凭れ面とに押圧する方向の締結力を作用させる締結手段とを備える包装形態、包装方法、および搬送装置。【選択図】        図２
2006315749.tif 000002
【特許請求の範囲】
【請求項１】
シートを厚さ方向に積層してなるシート束と、
前記シート束が凭せ掛けられる背凭れ面と、前記背凭れ面に向かって水平面に対して下向きに傾斜してなるとともに、前記シート束が実質的に立てた状態で載置される載置面とを有する積載台と、
前記シート束における上側の稜を覆う角当て部材と、
前記シート束を前記積載台の載置面と背凭れ面とに押圧する方向の締結力を前記角当て部材から前記積載台に向って作用させる締結手段とを
備えることを特徴とする包装形態。
【請求項２】
前記積載台における載置面と背凭れ面とは互いに直交してなる請求項１に記載の包装形態。
【請求項３】
前記締結手段は、前記積載台と前記角当て部材とに渡し掛けられたベルトである請求項１または２に記載の包装形態。
【請求項４】
前記締結手段は、実質的に垂直方向に沿って締結力を作用させる請求項２または３に記載の包装形態。
【請求項５】
前記角当て部材の幅方向の寸法は、シート束の幅よりも大きい請求項１〜４の何れか１項に記載の包装形態。
【請求項６】
前記シートは平版印刷版である請求項１〜５の何れか１項に記載の包装形態。
【請求項７】
背凭れ面と、前記背凭れ面に向かって水平面に対して下向きに傾斜してなる載置面とを有する積載台に、シートを厚さ方向に積層したシート束を、実質的に立てた状態で、１の端面が前記載置面に、１の表面が前記背凭れ面に接するように前記積載台に載置し、
前記シート束における上側の稜を角当て部材で覆い、
前記シート束を前記積載台の載置面と背凭れ面とに押圧する方向の締結力を前記角当て部材から前記積載台に作用させる
ことを特徴とする包装方法。
【請求項８】
前記シートは平版印刷版である請求項７に記載の包装方法。
【請求項９】
背凭れ面と前記背凭れ面に向かって下降するように傾斜してなる載置面とを有し、シートを厚さ方向に積層したシート束が、前記背凭れ面に凭せ掛けるように、しかも前記載置面に実質的に立てた状態で載置される積載台と、
前記積載台に載置されたシート束の上側の稜を覆う角当て部材と、
前記積載台に載置されたシート束を前記積載台の載置面と背凭れ面とに押圧する方向の締結力を前記角当て部材から前記積載台に向って作用させる締結手段とを
備えることを特徴とする搬送装置。
【請求項１０】
前記積載台における載置面と背凭れ面とは互いに直交してなる請求項９に記載の搬送装置。
【請求項１１】
前記締結手段は、前記積載台と前記角当て部材とに渡し掛けられたベルトである請求項９または１０に記載の搬送装置。
【請求項１２】
前記締結手段は、実質的に垂直方向に沿って締結力を作用させる請求項９〜１１の何れか１項に記載の搬送装置。
【発明の詳細な説明】
【技術分野】
【０００１】
本発明は、包装形態、包装方法、および搬送装置に関し、特に、シートの一部分に過剰な圧力が及ぼされたり、シートの縦および横方向のずれを効果的に抑えることのできる包装形態、包装方法、および前記包装方法に使用される搬送放置に関する。
【背景技術】
【０００２】
平版印刷版を荷扱いする場合、荷扱いの回数を減らして運搬や保管を低コストで行なうとともに、運搬や保管中の平版印刷版の変形や損傷を防止すべく、多数枚の平版印刷版を厚さ方向に積層して平版印刷版束を構成し、前記平版印刷版束を必要に応じてアルミクラフト紙などの遮光梱包材で梱包してパレットやスキッドなどの積載部材に積載し、梱包することが一般的に行なわれてきた。
【０００３】
このような梱包構造の一例としては、水平面に対して傾斜した載置面と、前記載置面に対して直交する背凭れ面とを有する椅子状の積載部材に平版印刷版束を載置し、更に前記平版印刷版束に端板を載置して前記端板と前記積載部材の背板との間にベルトを巻き掛けて平版印刷版束を拘束した特許文献１に記載の梱包構造がある。
【０００４】
また、特許文献１に記載の包装構造において平版印刷版束に端板を載置する代りに平版印刷版束の頂面側のコーナ部に角当て部材を被せ、この角当て部材をベルトを巻き掛けて前記平版印刷版束を拘束した包装形態も提案された（特許文献２）。
【特許文献１】特許第２８７３４６３号公報
【特許文献２】特開２００１−３１８１７号公報
【発明の開示】
【発明が解決しようとする課題】
【０００５】
しかしながら、積載部材の背板と端板とで平版印刷版束を挟み、ベルトで拘束すると、前記平版印刷版束を構成する平版印刷版の製版面に大きな力が加わる。しかも、平版印刷版には微小な撓みがあるから、平版印刷版の中央部よりも周縁部により強い力が加わる。それに対して平版印刷版には、載置面に直交する方向、換言すれば上下方向に沿って充分な拘束力が作用しないから、輸送や荷役、荷降ろしの際の衝撃で平版印刷版が上下方向に沿って互いにずれやすいという問題が生じる。
【０００６】
平版印刷版束のコーナ部を角当て部材で抑えた場合には、平版印刷版束は上下方向に沿って拘束されるが、今度は厚さ方向のバタツキが生じる。
【０００７】
本発明は、上記問題を解決すべく成されたものであり、平版印刷版のようなシートを厚さ方向に積層したシート束の全面に均等に圧力を加えることができ、しかも厚さ方向のバタツキも抑えることのできる包装形態、包装方法、および前記包装方法に使用される搬送装置を提供することを目的としている。
【課題を解決するための手段】
【０００８】
請求項１に記載の発明は、シートを厚さ方向に積層してなるシート束と、前記シート束が凭せ掛けられる背凭れ面と、前記背凭れ面に向かって水平面に対して下向きに傾斜してなるとともに、前記シート束が実質的に立てた状態で載置される載置面とを有する積載台と、前記シート束における上側の稜を覆う角当て部材と、前記シート束を前記積載台の載置面と背凭れ面とに押圧する方向の締結力を前記角当て部材から前記積載台に向って作用させる締結手段とを備えることを特徴とする包装形態に関する。
【０００９】
前記包装形態においては、締結手段の締結力は、平版印刷版束の厚さ方向に対して傾斜しているから、シート束に加わる厚さ方向の圧力は、端板を用いる場合に比較して小さくなる。したがって、シートの面に加わる圧力も小さくなるから、前記圧力によってシートが変形したり損傷したりすることが防止される。
【００１０】
また、シート束は、角当て部材と締結手段とによって積載台の背凭れ面と載置面とに押圧されるから、シート束を構成するシートの集積方向への飛び出しやバタツキだけでなく、上下左右方向へのズレも抑えられる。
【００１１】
請求項２に記載の発明は、請求項１に記載の包装形態において、前記積載台における載置面と背凭れ面とが互いに直交してなるものに関する。
【００１２】
本発明においては、積載台の載置面は、背凭れ面に向かって下向きに傾いている。そして、請求項２に記載の包装形態の備える積載台は、載置面と背凭れ面とが互いに直交しているから、前記背凭れ面は、水平面との成す角が鈍角である。
【００１３】
したがって前記積載台に載置されたシート束は、下向きの端面において載置面に当接し、下向きの表面において背凭れ面に当接した状態で安定するから、角当て部材や締結手段の着脱が容易である。
【００１４】
請求項３に記載の発明は、請求項１または２に記載の包装形態において、前記締結手段が前記積載台と前記角当て部材とに渡し掛けられたベルトであるものに関する。
【００１５】
前記包装形態においては、ベルトを締めることにより、角当て部材がシート束の上側の稜に押圧され、その結果、シート束は積載台の背凭れ面と積載面とに押圧される。また、開梱時には、前記ベルトを緩めることにより、角当て部材によるシート束の拘束を容易に解除できる。
【００１６】
請求項４に記載の発明は、前記締結手段が実質的に垂直方向に沿って締結力を作用させる請求項２または３に記載の包装形態に関する。
【００１７】
前記包装形態においては、シート束の端面も表面も水平面および垂直面に対してある所定の角度を有しているから、締結手段から垂直方向に沿って及ぼされた締結力は、角当て部材によってシート束を積載面に押圧する力と背凭れ面に押圧する力とに分解され、これによってシート束は載置面と背凭れ部とに押圧される。したがって、シート束の下側の端面が前記積載面から浮くことがないから、シート束ズレが生じることはない。
【００１８】
請求項５に記載の発明は、請求項１〜４の何れか１項に記載の包装形態において、前記角当て部材の幅方向の寸法がシート束の幅よりも大きいものに関する。
【００１９】
前記包装形態においては、角当て部材からシート束の全幅に亘って積載台の背凭れ面および載置面に押圧される方向の力が均等に及ぼされるから、シートの上下左右方向のずれや厚さ方向の浮き上がりなどが効果的に防止される。
【００２０】
また、シート束に加わる押圧力の不均等も生じ難い。
請求項６に記載の発明は、請求項１〜５の何れか１項に記載の包装形態において、前記シートが平版印刷版であるものに関する。
【００２１】
前記包装形態によれば、請求項１で説明したのと同様の理由により、平版印刷版の製版面に加わる圧力が小さくなるから製版面の損傷を効果的に防止できる。
【００２２】
また、輸送中や荷役中の衝撃や外力によって平版印刷版を厚さ方向に積層した平版印刷版束から平版印刷版が上方または左右に飛び出したり、集積方向にばたついたりすることがない。
【００２３】
さらに、平版印刷版束を積載台に載置し、角当て部材を前記平版印刷版束に被せて締結部材で締結することにより、平版印刷版を梱包でき、また、締結手段による締結を解除し、角当て部材を取り外すだけで開梱できるから、梱包および開梱に要する労力を大幅に低減できる。
【００２４】
請求項７に記載の発明は、背凭れ面と、前記背凭れ面に向かって水平面に対して下向きに傾斜してなる載置面とを有する積載台に、シートを厚さ方向に積層したシート束を、実質的に立てた状態で、１の端面が前記載置面に、１の表面が前記背凭れ面に接するように前記積載台に載置し、前記シート束における上側の稜を角当て部材で覆い、前記角当て部材に、前記シート束を前記積載台の載置面と背凭れ面とに押圧する方向の締結力を前記角当て部材から前記積載台に作用させることを特徴とする包装方法に関する。
【００２５】
請求項８に記載の発明は、請求項７に記載の包装方法において、前記シートが平版印刷版であるものに関する。
【００２６】
前記包装方法で平版印刷版束などのシート束を包装すれば、請求項１のところで述べたように、シートの表面に加わる圧力が小さくなるからシートの表面の損傷を効果的に防止できる。
【００２７】
また、輸送中や荷役中の衝撃や外力によってシート束からシートが上方または左右に飛び出したり、集積方向にばたついたりすることがない。
【００２８】
さらに、シート束を積載台に載置し、角当て部材を前記シート束に被せて締結部材で締結することにより、シートを梱包でき、また、締結手段による締結を解除し、角当て部材を取り外すだけで開梱できるから、梱包および開梱に要する労力を大幅に低減させることができる。
【００２９】
請求項９に記載の発明は、背凭れ面と前記背凭れ面に向かって下降するように傾斜してなる載置面とを有し、シートを厚さ方向に積層したシート束が、前記背凭れ面に凭せ掛けるように、しかも前記載置面に実質的に立てた状態で載置される積載台と、前記積載台に載置されたシート束の上側の稜を覆う角当て部材と、前記角当て部材に、前記積載台に載置されたシート束を前記積載台の載置面と背凭れ面とに押圧する方向の締結力を作用させる締結手段とを備えることを特徴とする搬送装置に関する。
【００３０】
シート束を、前記搬送装置の背凭れ面に凭せ掛け、前記載置面に載置して前記角当て部材を上側の稜に当てて締結手段で締結することにより、シート束を構成するシートの表面に及ぼされる圧力を低くすることができるから、シートの表面の損傷を防止できる。また、輸送中や荷役中のシートの積層方向のばたつきや上方向や左右方向へのズレを防止できる。
【００３１】
請求項１０に記載の発明は、請求項９に記載の搬送装置において、前記積載台における載置面と背凭れ面とが互いに直交してなるものに関する。
【００３２】
前記搬送装置は、請求項２のところで説明したのと同様の理由で特にシート束の包装に好適に使用される。
【００３３】
請求項１１に記載の発明は、請求項９または１０に記載の搬送装置において、前記締結手段が前記積載台と前記角当て部材とに渡し掛けられたベルトであるものに関する。
【００３４】
前記搬送装置においては、ベルトを締めることにより、角当て部材がシート束の上側の稜に押圧され、その結果、シート束は積載台の背凭れ面と積載面とに押圧される。また、開梱時には、前記ベルトを緩めることにより、角当て部材によるシート束の拘束を容易に解除できる。
【００３５】
請求項１２に記載の発明は、請求項９〜１１の何れか１項に記載の搬送装置において、前記締結手段が実質的に垂直方向に沿って締結力を作用させるものに関する。
【００３６】
前記搬送装置においては、締結手段から垂直方向に沿って及ぼされた締結力は、角当て部材によってシート束を積載面に押圧する力と背凭れ面に押圧する力とに分解され、シート束は載置面と背凭れ部とに押圧される。したがって、シート束の下側の端面が前記積載面から浮くことがないから、シート束ズレが生じることはない。
【発明の効果】
【００３７】
以上説明したように本発明によれば、シートを厚さ方向に積層したシート束の全面に均等に圧力を加えることができ、しかも厚さ方向のはたつきも抑えることのできる包装形態、包装方法、および前記包装方法に使用される搬送装置が提供される。
【発明を実施するための最良の形態】
【００３８】
１．実施形態１
以下、本発明の包装形態の一例である平版印刷版の包装構造体について説明する。
【００３９】
図１および図２に示すように、実施形態１の包装構造体１００は、平版印刷版Ｗを厚さ方向に積層した平版印刷版束１０と、平版印刷版束１０が載置される積載台２と、平版印刷版束１０の上側の稜を覆う角当て部材４と、角当て部材４と積載台２とに渡されたベルト６とを有する。平版印刷版Ｗおよび平版印刷版束１０は、夫々本発明におけるシートおよびシート束に相当し、ベルト６は締結手段に相当する。
【００４０】
積載台２は、基部２２と基部に立設された背凭れ部２４とから成っている。基部２２の上面に載置面２０Ａが形成され、背凭れ部２４における載置面２０Ａに臨む側の面が背凭れ面２０Ｂとされている。背凭れ面２０Ｂは、鉛直面に対して５〜３０度の角度を成すことが好ましく、７〜２０度の角度を成すことが更に好ましく、９〜１５度の角度を成すことが特に好ましい。一方、載置面２０Ａは、背凭れ面２０Ｂに向って下向きに傾斜し、水平面との成す角度は、好ましくは５〜３０度であり、更に好ましくは７〜２０度であり、特に好ましくは９〜１５度の範囲である。なお、載置面２０Ａと背凭れ面２０Ｂとは互いに直交するように形成されている。図２に示すように、平版印刷版束１０は、下方を向いた端面１０Ａにおいて載置面２０Ａに載置され、端面１０Ａに連続するとともに下方を向いた表面１０Ｂにおいて背凭れ面２０Ｂに凭せ掛けられている。なお、平版印刷版束１０を構成する平版印刷版Ｗは、感光型、感熱型、レーザ露光型の何れの平版印刷版であってもよい。
【００４１】
基部２２における載置面２０Ａの下方には、ベルト６が挿通されるベルト挿通孔２６が設けられている。
【００４２】
積載台２は、各種鉄鋼やアルミニウムなどの金属材料、プラスチック材料、または硬木などによって形成できる。
【００４３】
図１および図２に示すように、平版印刷版束１０には、上方を向いた端面１０Ｃのほとんど全面および端面１０Ｃに連続する上を向いた表面１０Ｄの上端部を覆うように角当て部材４が被せられている。したがって、端面１０Ｃと表面１０Ｄとの間に位置する稜１０Ｅは、角当て部材４によって覆われている。
【００４４】
角当て部材４は、当り面４Ａにおいて平版印刷版束１０の端面１０Ｃに接し、当り面４Ｂにおいて平版印刷版束１０の表面１０Ｄに接している。当り面４Ａと当り面４Ｂとは互いに直交しているから、当り面４Ａは端面１０Ｃに、当り面４Ｂは表面１０Ｄに密着する。角当て部材４の上面４Ｃにはベルト挿通溝４Ｄが設けられている。
【００４５】
角当て部材４もまた、各種鉄鋼やアルミニウムなどの金属材料、プラスチック材料、または硬木などによって形成できる。
【００４６】
ベルト６は、図１および図２に示すように、積載台２と角当て部材４との間にほぼ垂直方向に沿って渡し掛けられ、積載台２のベルト挿通孔２６およびベルト挿通溝４Ｄに挿通されている。ベルト６は、ベルト挿通溝４Ｄに挿通されることにより、角当て部材４から外れることが防止される。ベルト６としては、プラスチック結束ベルトや布ベルトのように引っ張り力を加えても大きくは延びないものが好ましい。但し、平版印刷版束１０に、積載台２の載置面２０Ａと背凭れ面２０Ｂとに押圧する方向の力を及ぼすことができるのであれば、ベルト６を掛け渡す方向は必ずしも垂直方向でなくてもよい。
【００４７】
なお、図３に示すように、包装構造体１００における平版印刷版束１０の表面１０Ｄに緩衝材８を被せ、外界からの衝撃から保護するようにしてもよい。緩衝材８は、紐８Ａによって平版印刷版束１０に固定してもよく、紐８Ａの代りにベルトで固定してもよい。緩衝材８としては、たとえば段ボールが使用される。段ボールは図３に示すように１縦であってもよいが、２重またはそれ以上に重ねれば、平版印刷版束１０を衝撃からより有効に保護できる。緩衝材８としては、他にゴム板や発泡樹脂板、プラスチックシートを段ボール状に形成したプラ段ボール、多数の気泡を全面に形成したプラスチックシートであるエアキャップ（登録商標）などが使用できる。
【００４８】
以下、実施形態１に係る包装構造体１００の作用について説明する。
【００４９】
平版印刷版束１０を積載台２に載置し、その上に角当て部材４を被せてベルト６を締めて加圧力Ｆで加圧すると、図４に示すように加圧力Ｆは、ベルト６に沿って鉛直方向に作用する。ここで、平版印刷版束１０の端面１０Ｃと表面１０Ｄとは互いに直交し、また端面１０Ｃと表面１０Ｄとに当接する角当て部材４の当り面４Ａと当り面４Ｂとも互いに直交しているから、加圧力Ｆは、角当て部材４によって平版印刷版束１０の厚さ方向の成分ＦAと表面に沿った成分ＦBとに分解される。したがって、平版印刷版束１０は、載置面２０Ａには成分ＦBと等しい力で、背凭れ面２０Ｂには成分ＦAと等しい力で押圧される。したがって、平版印刷版束１０には、厚さ方向のバタツキが生じることがなく、また、平版印刷版Ｗが上方や左右方向にずれて平版印刷版束１０から飛び出すこともない。更に、載置面２０Ａと水平面との成す角θ1、即ち背凭れ面２０Ａと垂直面との成す角θ2は、前述のように５〜３０度と小さく、また、成分ＦAは、ＦA＝Ｆ・ｓｉｎθ1で与えられるから、成分ＦAは、加圧力Ｆに比較して遥かに小さい。したがって、加圧力Ｆを高くとっても平版印刷版束１０に厚さ方向に過大な押圧力が及ぼされることがなく、したがって、平版印刷版Ｗの製版面が過大な押圧力で損傷することがない。
【００５０】
これに対して、図５に示すように、従来の包装構造体においては、積載台２に平版印刷版束１０を載置し、平版印刷版束１０の表面１０Ｄに端板３０を被せて２本のベルト６’で固縛しているから、ベルト６’からの加圧力Ｆはそのまま平版印刷版束１０の厚さ方向に作用する。したがって、平版印刷版束１０は、加圧力Ｆで背凭れ面２０Ｂに押圧される一方、載置面２０Ａに押圧する力は平版印刷版束１０には殆ど作用しない。したがって、加圧力Ｆを大きくとると、平版印刷版束１０の平版印刷版Ｗの製版面に過大な圧力が加わる。一方、平版印刷版Ｗは、面方向には殆ど拘束されないから、搬送中や荷役中の衝撃で平版印刷版束１０から飛び出す可能性がある。
【産業上の利用可能性】
【００５１】
本発明は、平版印刷版の包装に使用できる。また、アルミニウム板やステンレス鋼板、普通鋼板などの金属シート、紙、プラスチックのシートの包装などにも使用できる。
【図面の簡単な説明】
【００５２】
【図１】図１は、実施形態１に係る平版印刷版の包装構造体の構成を示す斜視図である。
【図２】図２は、実施形態１の包装構造体を側方から見たところを示す側面図である。
【図３】図３は、実施形態１の包装構造体の別の例について構成を示す斜視図である。
【図４】図４は、実施形態１の包装構造体において、ベルト６の加圧力が平版印刷版束にどのように及ぼされるかを示す説明図である。
【図５】図５は、従来の平版印刷版において、ベルト加圧力が平版印刷版束にどのように及ぼされるかを示す説明図である。
【符号の説明】
【００５３】
２    積載台
４Ｄ  ベルト挿通溝
４    角当て部材
４Ａ  当り面
４Ｂ  当り面
４Ｃ  上面
４Ｄ  ベルト挿通溝
６    ベルト
８    緩衝材
８Ａ  紐
１０Ａ      端面
１０Ｂ      表面
１０Ｃ      端面
１０Ｄ      表面
１０  平版印刷版束
２０Ａ      載置面
２０Ｂ      背凭れ面
２２  基部
２４  部
２６  ベルト挿通孔
２６  孔
１００      包装構造体
【図１】
2006315749.tif 000003
【図２】
2006315749.tif 000004
【図３】
2006315749.tif 000005
【図４】
2006315749.tif 000006
【図５】
2006315749.tif 000007